【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
中央部にスリットを有し周縁部の両面に周方向に延びる上下の環状溝が形成されているディスク状の弁部材と、前記弁部材が戴置されうるとともに前記弁部材の前記周縁部の下面の前記環状溝と係合しうる環状突部がある台座を備えた略筒状のハウジングと、前記弁部材の前記周縁部の上面の前記環状溝と係合しうる環状爪部を備えたリング部材を有しており、前記台座上に戴置されている前記弁部材が、前記ハウジングに組み付けられた前記リング部材により前記ハウジングに固定されている医療用コネクタにおいて、
前記弁部材は前記上下の環状溝により薄肉とされており、
前記上下の環状溝の形成部分よりも外周側が上下の両方向に厚肉とされて前記環状爪部と前記環状突部の各外周側に重なる一方、前記弁部材の上側の前記環状溝の形成部分よりも中央側で上方向に厚肉とされて前記リング部材の内周側に位置する厚肉の外周面が、前記弁部材の前記スリットへの雄ルアーの挿入により前記リング部材の前記環状爪部の内周面から離隔方向に変形変位せしめられる状態で、前記弁部材が前記ハウジング内に固定されてなることを特徴とする医療用コネクタ。
【請求項２】
前記弁部材における前記上下の環状溝より外周側が前記ハウジングと前記リング部材に対して全体に亘って当接されている請求項１に記載の医療用コネクタ。
【請求項３】
前記弁部材の上面に設けられた前記環状溝が、前記リング部材の前記環状爪部が嵌合される部分よりも浅底で前記弁部材の外周に広がって形成され、前記リング部材が前記弁部材の前記環状溝に配置されることにより、前記弁部材の上面と前記リング部材の上面とが面一に構成されてなる請求項１又は２に記載の医療用コネクタ。
【請求項４】
前記スリットに前記雄ルアーを挿入した際に前記弁部材の前記スリットが開かれて変形した前記弁部材が下方に押し込まれるようにして入り込むようにされた前記ハウジングの内周面が、前記環状溝に係合した前記環状突部の内径よりも大きくされている請求項１〜３の何れか１項に記載の医療用コネクタ。
【請求項５】
ルアーロックコネクタにおいて前記雄ルアーの周囲に設けられたスカート状の筒部が外挿されるようになっていると共に、該スカート状の筒部が外挿される外周面には、前記ルアーロックコネクタの前記スカート状の筒部の内周面に設けられた雌ネジ部に対して螺合可能な雄ネジ部が設けられてなる請求項１〜４の何れか１項に記載の医療用コネクタ。
【請求項６】
下記工程からなる医療用コネクタの製造方法。
（ａ）周縁部に周方向に延びる上下の環状溝を有するとともに中央部にスリットを有し、前記上下の環状溝により形成された薄肉と、前記上下の環状溝の形成部分よりも外周側に形成された厚肉と、上側の前記環状溝の形成部分よりも中央側で上方向に形成された厚肉と、を有するディスク状の弁部材と、上方へ突出する環状突部を有する略筒状のハウジングと、下方へ突出する環状爪部を有するリング部材を準備する工程、
（ｂ）前記環状突部を前記弁部材の下側の前記環状溝へ、前記リング部材の環状爪部を上側の前記環状溝へ、それぞれ嵌め入れる工程、
（ｃ）前記リング部材と前記ハウジングを組み付けることにより、前記弁部材において前記上下の環状溝により形成された前記薄肉を前記リング部材の前記環状爪部と前記ハウジングの前記環状突部との対向部間で挟んで、前記弁部材において前記上下の環状溝の形成部分よりも外周側にて上下の両方向に形成された厚肉が前記環状爪部と前記環状突部の各外周側に重なる一方、前記弁部材の上側の前記環状溝の形成部分よりも中央側で上方向に形成された厚肉の外周面が、前記弁部材の前記スリットへの雄ルアーの挿入により前記リング部材の前記環状爪部の内周面から離隔方向に変形変位せしめられる状態で、前記弁部材を前記ハウジング内に固定する工程。
【請求項７】
上面と下面においてそれぞれ周方向に延びる環状溝が形成されることにより環状の括れ状部が設けられて、該括れ状部よりも外周側が環状固定部とされていると共に、中央部分にスリットが形成されており、流体流路の開口部分に配されて雄コネクタが該スリットへ繰り返し挿抜可能とされるディスク状の弁部材を備えており、該弁部材の上面と下面に形成された各該環状溝に対して環状爪部と環状突部がそれぞれ係止されることによって、該弁部材が該流体流路の開口部分に保持された医療用コネクタであって、
前記弁部材における前記上下の環状溝の形成部分よりも外周側が上下の両方向に厚肉とされて前記環状爪部と前記環状突部の各外周側に重なる一方、
前記弁部材の上側の前記環状溝の形成部分よりも中央側で上方向に厚肉とされた部分の外周面が、前記弁部材の前記スリットへの雄ルアーの挿入により前記環状爪部の内周面から離隔方向に変形変位せしめられるようになっていることを特徴とする医療用コネクタ。
【請求項８】
前記弁部材が装着されたハウジングが略筒状とされており、前記スリットに前記雄ルアーを挿入した際に前記弁部材の前記スリットが開かれて変形した前記弁部材が下方に押し込まれるようにして入り込む該ハウジングの内周面が、前記環状突部の内径よりも大きくされている請求項７に記載の医療用コネクタ。
【請求項９】
前記弁部材の前記上面は、前記環状固定部上面に比して前記中央側厚肉部上面は上方に位置し、前記環状溝に係止された前記環状爪部の上面が前記中央側厚肉部上面と面一に構成されてなる請求項７又は８に記載の医療用コネクタ。
【請求項１０】
前記弁部材が装着されたハウジングが略筒状とされており、前記スリットに前記雄ルアーを挿入した際に該スリットが開かれて変形した前記弁部材が下方に押し込まれて該ハウジングの内周面に対して当たるようになっていると共に、該弁部材が内周面に当たる該ハウジングの外周面にはねじ山が形成されている請求項７〜９の何れか１項に記載の医療用コネクタ。
【請求項１１】
前記弁部材が装着されたハウジングが略筒状とされており、ルアーロックコネクタにおいて前記雄ルアーの周囲に設けられたスカート状の筒部が外挿されるようになっていると共に、該スカート状の筒部が外挿される前記ハウジングの外周面には、前記ルアーロックコネクタの前記スカート状の筒部の内周面に設けられた雌ネジ部に対して螺合可能な雄ネジ部が設けられてなる請求項７〜１０の何れか１項に記載の医療用コネクタ。
【手続補正２】
【補正対象書類名】明細書
【補正対象項目名】００１０
【補正方法】変更
【補正の内容】
【００１０】
すなわち本発明は、
（１）  中央部にスリットを有し周縁部の両面に周方向に延びる上下の環状溝が形成されているディスク状の弁部材と、前記弁部材が戴置されうるとともに前記弁部材の前記周縁部の下面の前記環状溝と係合しうる環状突部がある台座を備えた略筒状のハウジングと、前記弁部材の前記周縁部の上面の前記環状溝と係合しうる環状爪部を備えたリング部材を有しており、前記台座上に戴置されている前記弁部材が、前記ハウジングに組み付けられた前記リング部材により前記ハウジングに固定されている医療用コネクタにおいて、
前記弁部材は前記上下の環状溝により薄肉とされており、
前記上下の環状溝の形成部分よりも外周側が上下の両方向に厚肉とされて前記環状爪部と前記環状突部の各外周側に重なる一方、前記弁部材の上側の前記環状溝の形成部分よりも中央側で上方向に厚肉とされて前記リング部材の内周側に位置する厚肉の外周面が、前記弁部材の前記スリットへの雄ルアーの挿入により前記リング部材の前記環状爪部の内周面から離隔方向に変形変位せしめられる状態で、前記弁部材が前記ハウジング内に固定されてなることを特徴とする医療用コネクタ、
（２）  前記弁部材における前記上下の環状溝より外周側が前記ハウジングと前記リング部材に対して全体に亘って当接されている（１）に記載の医療用コネクタ、
（３）  前記弁部材の上面に設けられた前記環状溝が、前記リング部材の前記環状爪部が嵌合される部分よりも浅底で前記弁部材の外周に広がって形成され、前記リング部材が前記弁部材の前記環状溝に配置されることにより、前記弁部材の上面と前記リング部材の上面とが面一に構成されてなる（１）又は（２）に記載の医療用コネクタ、
（４）  前記スリットに前記雄ルアーを挿入した際に前記弁部材の前記スリットが開かれて変形した前記弁部材が下方に押し込まれるようにして入り込むようにされた前記ハウジングの内周面が、前記環状溝に係合した前記環状突部の内径よりも大きくされている（１）〜（３）の何れか１項に記載の医療用コネクタ、
（５）  ルアーロックコネクタにおいて前記雄ルアーの周囲に設けられたスカート状の筒部が外挿されるようになっていると共に、該スカート状の筒部が外挿される外周面には、前記ルアーロックコネクタの前記スカート状の筒部の内周面に設けられた雌ネジ部に対して螺合可能な雄ネジ部が設けられてなる（１）〜（４）の何れか１項に記載の医療用コネクタ、
（６）  下記工程からなる医療用コネクタの製造方法、
（ａ）周縁部に周方向に延びる上下の環状溝を有するとともに中央部にスリットを有し、前記上下の環状溝により形成された薄肉と、前記上下の環状溝の形成部分よりも外周側に形成された厚肉と、上側の前記環状溝の形成部分よりも中央側で上方向に形成された厚肉と、を有するディスク状の弁部材と、上方へ突出する環状突部を有する略筒状のハウジングと、下方へ突出する環状爪部を有するリング部材を準備する工程、
（ｂ）前記環状突部を前記弁部材の下側の前記環状溝へ、前記リング部材の環状爪部を上側の前記環状溝へ、それぞれ嵌め入れる工程、
（ｃ）前記リング部材と前記ハウジングを組み付けることにより、前記弁部材において前記上下の環状溝により形成された前記薄肉を前記リング部材の前記環状爪部と前記ハウジングの前記環状突部との対向部間で挟んで、前記弁部材において前記上下の環状溝の形成部分よりも外周側にて上下の両方向に形成された厚肉が前記環状爪部と前記環状突部の各外周側に重なる一方、前記弁部材の上側の前記環状溝の形成部分よりも中央側で上方向に形成された厚肉の外周面が、前記弁部材の前記スリットへの雄ルアーの挿入により前記リング部材の前記環状爪部の内周面から離隔方向に変形変位せしめられる状態で、前記弁部材を前記ハウジング内に固定する工程、
（７）  上面と下面においてそれぞれ周方向に延びる環状溝が形成されることにより環状の括れ状部が設けられて、該括れ状部よりも外周側が環状固定部とされていると共に、中央部分にスリットが形成されており、流体流路の開口部分に配されて雄コネクタが該スリットへ繰り返し挿抜可能とされるディスク状の弁部材を備えており、該弁部材の上面と下面に形成された各該環状溝に対して環状爪部と環状突部がそれぞれ係止されることによって、該弁部材が該流体流路の開口部分に保持された医療用コネクタであって、
前記弁部材における前記上下の環状溝の形成部分よりも外周側が上下の両方向に厚肉とされて前記環状爪部と前記環状突部の各外周側に重なる一方、
前記弁部材の上側の前記環状溝の形成部分よりも中央側で上方向に厚肉とされた部分の外周面が、前記弁部材の前記スリットへの雄ルアーの挿入により前記環状爪部の内周面から離隔方向に変形変位せしめられるようになっていることを特徴とする医療用コネクタ、
（８）  前記弁部材が装着されたハウジングが略筒状とされており、前記スリットに前記雄ルアーを挿入した際に前記弁部材の前記スリットが開かれて変形した前記弁部材が下方に押し込まれるようにして入り込む該ハウジングの内周面が、前記環状突部の内径よりも大きくされている（７）に記載の医療用コネクタ、
（９）  前記弁部材の前記上面は、前記環状固定部上面に比して前記中央側厚肉部上面は上方に位置し、前記環状溝に係止された前記環状爪部の上面が前記中央側厚肉部上面と面一に構成されてなる（７）又は（８）に記載の医療用コネクタ、
（１０）  前記弁部材が装着されたハウジングが略筒状とされており、前記スリットに前記雄ルアーを挿入した際に該スリットが開かれて変形した前記弁部材が下方に押し込まれて該ハウジングの内周面に対して当たるようになっていると共に、該弁部材が内周面に当たる該ハウジングの外周面にはねじ山が形成されている（７）〜（９）の何れか１項に記載の医療用コネクタ、
（１１）  前記弁部材が装着されたハウジングが略筒状とされており、ルアーロックコネクタにおいて前記雄ルアーの周囲に設けられたスカート状の筒部が外挿されるようになっていると共に、該スカート状の筒部が外挿される前記ハウジングの外周面には、前記ルアーロックコネクタの前記スカート状の筒部の内周面に設けられた雌ネジ部に対して螺合可能な雄ネジ部が設けられてなる（７）〜（１０）の何れか１項に記載の医療用コネクタ、
に関する。